(57)【特許請求の範囲】
【請求項１】
本体と、
この本体の中央に位置し、上方に開口する中央凹部と、
前記本体の一方の側に位置し、上方に開口する内側凹部と、
前記本体の他方の側に位置し、上方に開口する外側凹部と、
前記本体の前記中央凹部と前記内側凹部との間に形成された内側凸部と、
前記本体の前記中央凹部と前記外側凹部との間に形成された外側凸部とを備え、
前記内側凸部は人体のアキレス腱と内果との間に形成された凹部に、
前記外側凸部は人体のアキレス腱と外果との間に形成された凹部に、
前記内側凹部は前記内果の下方周囲に、
前記外側凹部は前記外果の下方周囲に、
それぞれ位置するものであり、
前記本体は長手方向に長い長手形状部材であり、
前記本体は、前記本体の長手方向を横断する内側凹部の厚みが前記本体の長手方向を横断する外側凹部の厚みより小である
ことを特徴とする履き物用パッド。
【請求項２】
本体と、
この本体の中央に位置し、下方に開口する中央凹部と、
前記本体の一方の側に位置し、下方に突出する外側凸部と、
前記本体の他方の側に位置し、下方に突出する内側凸部とを備え、
前記内側凸部と前記外側凸部との間に前記中央凹部が位置し、
前記本体の中央に人体のアキレス腱が、外果の下方に前記外側凸部が、内果の下方に前記内側凸部が、それぞれ位置し、
前記本体は長手方向に長い長手形状部材であり、
前記本体は、前記本体の長手方向を横断する前記外側凸部の厚みの厚みが前記本体の長手方向を横断する前記内側凸部より大である
ことを特徴とする履き物用パッド。
【発明の詳細な説明】
【技術分野】
【０００１】
本発明は、履き物用パッドに係り、特に、アキレス腱と内果との間、内果の下方周囲、アキレス腱と外果との間、外果の下方周囲を覆う履き物用パッドに関する。
【背景技術】
【０００２】
従来、人体のアキレス腱とくるぶしとの間に形成された両側の凹部に当接するようにした踵補型物内クッション部材がある（特許文献１参照）。
【先行技術文献】
【特許文献】
【０００３】
【特許文献１】特許第４１４２０８５号公報（図１及び図４参照）
【発明の概要】
【発明が解決しようとする課題】
【０００４】
しかしながら、踵補型物内クッション部材にあっては、内果及び外果の下方周囲を覆う部位がなく、履物と内果及び外果の下方周囲との間に隙間が生じ、履きやすさの点で改善の余地があるという問題点が生じた。
【０００５】
本発明は、前記問題点を考慮してなされた履き物用パッドを提供することを目的とする。
【課題を解決するための手段】
【０００６】
請求項１記載の履き物用パッドは、本体と、この本体の中央に位置し、上方に開口する中央凹部と、前記本体の一方の側に位置し、上方に開口する内側凹部と、前記本体の他方の側に位置し、上方に開口する外側凹部と、前記本体の前記中央凹部と前記内側凹部との間に形成された内側凸部と、前記本体の前記中央凹部と前記外側凹部との間に形成された外側凸部とを備え、前記内側凸部は人体のアキレス腱と内果との間に形成された凹部に、前記外側凸部は人体のアキレス腱と外果との間に形成された凹部に、前記内側凹部は前記内果の下方周囲に、前記外側凹部は前記外果の下方周囲に、それぞれ位置するものであり、前記本体は長手方向に長い長手形状部材であり、前記本体は、前記本体の長手方向を横断する内側凹部の厚みが前記本体の長手方向を横断する外側凹部の厚みより小である。
【０００８】
また、請求項２記載の履き物用パッドは、本体と、この本体の中央に位置し、下方に開口する中央凹部と、前記本体の一方の側に位置し、下方に突出する外側凸部と、前記本体の他方の側に位置し、下方に突出する内側凸部とを備え、前記内側凸部と前記外側凸部との間に前記中央凹部が位置し、前記本体の中央に人体のアキレス腱が、外果の下方に前記外側凸部が、内果の下方に前記内側凸部が、それぞれ位置し、前記本体は長手方向に長い長手形状部材であり、前記本体は、前記本体の長手方向を横断する前記外側凸部の厚みの厚みが前記本体の長手方向を横断する前記内側凸部より大である。
【発明の効果】
【０００９】
請求項１記載の履き物用パッドによれば、内側凸部は人体のアキレス腱と内果との間に形成された凹部に、外側凸部は人体のアキレス腱と外果との間に形成された凹部に、内側凹部は内果の下方周囲に、外側凹部は外果の下方周囲に、それぞれ位置するため、つまり、人体のアキレス腱と内果との間に形成された凹部及び人体のアキレス腱と外果との間に形成された凹部のみならず、内側凹部は内果の下方周囲に、外側凹部は外果の下方周囲に、それぞれ位置して、アキレス腱と内果との間、内果の下方周囲、アキレス腱と外果との間、外果の下方周囲を履き物用パッドで覆うため、アキレス腱と内果との間、内果の下方周囲、アキレス腱と外果との間、外果の下方周囲が密着し、脛骨下、腓骨下を支えて踵を左右から固定して、履物と足が一体化し、踵脱げを防いで、安定した歩行をサポートすることができる等の効果を有する。
【００１０】
また、請求項１記載の履き物用パッドによれば、本体は長手方向に長い長手形状部材であり、前記本体の長手方向を横断する内側凹部の厚みが前記本体の長手方向を横断する外側凹部の厚みより小であるため、人体の外果の下方に形成された凹部の深さより浅い「人体の内果の下方に形成された凹部の深さ」に合致して、履物と足との隙間をなくして、履物と足がより一体化し、履きやすいと共に、履物が足からより離脱しにくい等の効果を有する。
【００１１】
また、請求項２記載の履き物用パッドによれば、本体は長手方向に長い長手形状部材であり、前記本体は、前記本体の長手方向を横断する外側凸部の厚みが前記本体の長手方向を横断する内側凸部の厚みより大であるため、履物と足との隙間をなくして、履物と足がより一体化し、履きやすいと共に、履物が足からより離脱しにくい等の効果を有する。
【図面の簡単な説明】
【００１２】
【図１】図１は、本発明の一実施例の履き物用パッドの概略的斜視図である。
【図２】図２は、図１の履き物用パッドの概略的正面図である。
【図３】図３は、図２の履き物用パッドの概略的平面図である。
【図４】図４（ａ）は、図２のＡ−Ａ線による概略的断面図であり、図４（ｂ）は、図２のＢ−Ｂ線による概略的断面図である。
【図５】図５は、図１の履き物用パッドを履物に装着する状態の概略的斜視図である。
【図６】図６は、図１の履き物用パッドを履物に装着した状態の概略的断面図である。
【図７】図７は、図１の履き物用パッドを履物に装着した使用状態の概略的斜視図である。
【図８】図８は、図１の履き物用パッドを履物に装着した使用状態を踵の後方より見た概略的図である。
【図９】図９は、図１の履き物用パッドを履物に装着した使用状態の概略的断面図である。
【図１０】図１０は、図１の履き物用パッドと異なる左足用の履き物用パッドの概略的正面図である。
【図１１】図１１は、図１０の履き物用パッドの概略的平面図である。
【図１２】図１２（ａ）は、図１０のＡ−Ａ線による概略的断面図であり、図１２（ｂ）は、図１０のＢ−Ｂ線による概略的断面図である。
【図１３】図１３は、図１の履き物用パッドと異なる他の実施例の履き物用パッドの概略的正面図である。
【図１４】図１４は、図１３の概略的底面図である。
【図１５】図１５（ａ）は、図１３のＡ−Ａ線による概略的断面図であり、図１５（ｂ）は、図１３のＢ−Ｂ線による概略的断面図である。
【図１６】図１６は、図１３の履き物用パッドを履物に装着した使用状態の概略的斜視面図である。
【図１７】図１７は、図１３の履き物用パッドを履物に装着した使用状態の概略的背面図である。
【図１８】図１８は、履き物用パッドを履物に装着しない状態の概略的背面図である。
【発明を実施するための形態】
【００１３】
本発明の一実施例の履き物用パッドを図面（図１乃至図９）を参照して説明する。
図１乃至図９に示すＰは履き物用パッドで、履き物用パッドＰは、履き物の踵部材Ｋと履き物の裏地Ｕの間に位置し（図５及び図６）、人体のアキレス腱付近の部位を覆うものである。
【００１４】
図１に示す１は長手方向に長い長手形状部材である本体で、本体１は、例えば、右足用で、ラテックス、ウレタンフォーム等で形成され、軟質弾性部材である。
図２に示すように、本体１の中央に中央凹部１１が位置し、中央凹部１１は、上方に開口する凹部形状となっている。
また、本体１の一方側に内側凹部１２が位置し、内側凹部１２は、上方に開口する凹部形状となっており、内側凹部１２は内果（脛骨）２０の下方周囲に、位置するようになっている。
また、本体１の他方側に外側凹部１３が位置し、外側凹部１３は、上方に開口する凹部形状となっており、外側凹部１３は、外果（腓骨）３０の下方周囲に、位置するようになっている。
そして、本体１の中央凹部１１と内側凹部１２との間に内側凸部１４が形成され、内側凸部１４は、人体のアキレス腱４０と内果２０との間に形成された凹部に、位置するようになっている。
また、本体１の中央凹部１１と外側凹部１３との間に外側凸部１５が形成され、外側凸部１５は、人体のアキレス腱４０と外果３０との間に形成された凹部に、位置するようになっている。
【００１５】
従って、上述した履き物用パッドＰによれば、内側凸部１４は人体のアキレス腱４０と内果２０との間に形成された凹部に、外側凸部１５は人体のアキレス腱４０と外果３０との間に形成された凹部に、内側凹部１２は内果２０の下方周囲に、外側凹部１３は外果３０の下方周囲に、それぞれ位置するため、
つまり、人体のアキレス腱４０と内果２０との間に形成された凹部及び人体のアキレス腱４０と外果３０との間に形成された凹部のみならず、内側凹部１２は内果２０の下方周囲に、外側凹部１３は外果３０の下方周囲に、それぞれ位置して、アキレス腱４０と内果２０との間、内果２０の下方周囲、アキレス腱４０と外果３０との間、外果３０の下方周囲を履き物用パッドＰで覆うため、アキレス腱４０と内果２０との間、内果２０の下方周囲、アキレス腱４０と外果３０との間、外果３０の下方周囲が密着し、脛骨下、腓骨下を支えて踵を左右から固定して、履物と足が一体化し、踵脱げを防いで、安定した歩行をサポートすることができる等の効果を有する。
【００１６】
また、本体１の長手方向を横断する内側凹部１２の厚みｔが本体１の長手方向を横断する外側凹部１３の厚みＴと同じでも良いが、望ましくは、図２及び図４に示すように、本体１の長手方向を横断する内側凹部１２の厚みｔが本体１の長手方向を横断する外側凹部１３の厚みＴより小であることが望ましい（ｔ≦Ｔ）。
これは、人体の外果３０の下方に形成された凹部の深さより浅い「人体の内果２０の下方に形成された凹部の深さ」に合致して、履物と足との隙間をなくして、履物と足がより一体化し、履きやすいと共に、履物が足からより離脱しにくい等の効果を有する。
【００１７】
上述した実施例（図１乃至図９）の履き物用パッドＰは、右足用のものとして、説明したが、本願発明にあっては、これに限らず、左足用にも、同様に適用できるものである。
その際、左足用の履き物用パッドＰ(図１０乃至図１２)においては、図１の履き物用パッドＰの一方の側と他方の側が逆となる(図２と図１０参照)。
左足用の履き物用パッドＰ(図１０乃至図１２)の実施例にあっては、上述した実施例（図１乃至図９）と同一部分に同一符号を付して、その説明を省略する。
【００１８】
次に示す実施例の履き物用パッドＰは、甲の部分が浅いパンプス等の履き物に好適である。
履き物用パッドＰは、上述の実施例と同様、履き物の踵部材と履き物の裏地の間に位置し、人体のアキレス腱付近の部位を覆うものである。
【００１９】
図１３に示す１は長手方向に長い長手形状部材である本体で、本体１は、例えば、右足用で、ラテックス、ウレタンフォーム等で形成され、軟質弾性部材である。
本体１の中央に中央凹部１１’が位置し、中央凹部１１’は、下方に開口する凹部形状となっている。
また、本体１の一方側に外側凸部１６が位置し、外側凸部１６は、下方に突出する凸部形状となっており、外果（腓骨）３０の下方に位置するようになっている。
また、本体１の他方側に内側凸部１７が位置し、内側凸部１７は、下方に突出する凸部形状となっており、内果（脛骨）２０の下方に位置するようになっている。
そして、図１３に示すように、内側凸部１７と外側凸部１６との間に中央凹部１１’が位置し、本体１の中央に人体のアキレス腱が位置するようになっている。
【００２０】
また、図１３乃至図１５に示すように、本体１の長手方向を横断する外側凸部１６の厚みＴが本体１の長手方向を横断する内側凸部１７の厚みｔより大となっている（ｔ≦Ｔ）。
これは、図１８に示すように、内果２０との間に形成された凹部１８の深さは、外果３０との間に形成された凹部１９の深さより浅いため、人体の内果２０の下方に形成された凹部１８の深さより深い「人体の外果３０の下方に形成された凹部１９の深さ」に合致して、履物と足との隙間をなくして、履物と足がより一体化し、履きやすいと共に、履物が足からより離脱しにくくするためである（図１６及び図１７参照）。
【符号の説明】
【００２１】
Ｐ      履き物用パッド
１      本体
１１    中央凹部
１２    内側凹部
１３    外側凹部
１４    内側凸部
１５    外側凸部
２０    内果
３０    外果
４０    アキレス腱
【図１】
0006490939.tif 000002
【図２】
0006490939.tif 000003
【図３】
0006490939.tif 000004
【図４】
0006490939.tif 000005
【図５】
0006490939.tif 000006
【図６】
0006490939.tif 000007
【図７】
0006490939.tif 000008
【図８】
0006490939.tif 000009
【図９】
0006490939.tif 000010
【図１０】
0006490939.tif 000011
【図１１】
0006490939.tif 000012
【図１２】
0006490939.tif 000013
【図１３】
0006490939.tif 000014
【図１４】
0006490939.tif 000015
【図１５】
0006490939.tif 000016
【図１６】
0006490939.tif 000017
【図１７】
0006490939.tif 000018
【図１８】
0006490939.tif 000019